(57)【要約】【課題】開き戸１の戸尻側縦枠３ｄに設けられる第三気密材（戸尻側気密材）６の気密性を高いものにしながら、該第三気密材６の変形部６ｅの戸先側部位６ｉの戸尻側への変形を抑制できて長寿命化が図れるようにする。【解決手段】第三気密材６の変形部６ｅの第一本体部６ａからの突出位置を、戸先側部位６ｊの方が戸尻側部位６ｋよりも開き戸１側に偏倚するようにして、開き戸１が閉鎖する過程で、戸先側部位６ｊに開き戸１が戸尻側に向けて食い込むように入り込んで該戸先側部位６ｊが無理やり戸尻側に変形させられるのを、近い第一本体部６ａで強く受けるようにし、これにより閉鎖した開き戸１により押し潰し変形される変形部６ｅの変形面積が広いものとして優れた気密性の確保ができながら、開き戸１が閉鎖する過程での戸先側部位６ｊの戸尻側への変形を抑制して第三気密材６の長寿命化が図れるようにする。【選択図】図６
2018197480.tif 000002
【特許請求の範囲】
【請求項１】
開き戸が開閉揺動自在に設けられる戸枠に、閉鎖した開き戸の表面板が当接することにより押し潰し変形されて気密性を発揮するための気密材を設けるにあたり、戸尻側気密材は、戸尻側縦枠に支持される硬質の本体部と、該本体部から開き戸側に突出して前記押し潰し変形される軟質の変形部とを備えて構成され、該変形部は、本体部からの戸先側部位の突出位置が戸尻側部位の突出位置よりも開き戸側に偏倚するようにして設けられていることを特徴とする開き戸の気密構造。
【請求項２】
本体部の開き戸側辺が戸先側ほど開き戸側に偏倚した傾斜状になっていることを特徴とする請求項１記載の開き戸の気密構造。
【請求項３】
本体部の開き戸側辺が戸先側ほど開き戸側に偏倚した段差状になっていることを特徴とする請求項１記載の開き戸の気密構造。
【請求項４】
本体部は、該本体部の開き戸側辺よりも戸先側に突出し、かつ戸尻側部位の本体部からの突出位置よりも開き戸側に偏倚する突出辺を含んで構成され、該突出辺に変形部の戸先側部位が設けられていることを特徴とする請求項１乃至３の何れか１記載の開き戸の気密構造。
【請求項５】
本体部は、該本体部の戸先側辺よりも戸先側に突出し、かつ戸尻側部位の本体部からの突出位置よりも開き戸側に偏倚する突出辺を含んで構成され、該突出辺に変形部の戸先側部位が設けられていることを特徴とする請求項１乃至３の何れか１記載の開き戸の気密構造。
【請求項６】
変形部は円筒形状であり、該円筒の中心は、四角筒形状の本体部の中心線に対して戸先側に偏倚していることを特徴とする請求項１乃至５の何れか１記載の開き戸の気密構造。
【発明の詳細な説明】
【技術分野】
【０００１】
本発明は、建造物の出入り口等の開口部に開閉揺動自在に建て付けられる開き戸における気密構造の技術分野に関するものである。
【背景技術】
【０００２】
今日、出入口等の開口部に開き戸（ドア）を開閉揺動自在に建て付けることがあるが、この場合、躯体側の戸枠にゴム質弾性を有した気密材を取付けることになる。このようにしたときに、戸枠側に形成の凹溝にソリッド状に形成の本体部を挿入させ、該本体部から突出するスポンジ状の変形部に開き戸表面板を当接させることで該変形部を本体部に支持（弾持）される状態で押し潰し変形させ、これにより遮音性を含めた気密性を確保することが試みられている（例えば特許文献１参照。）。
【先行技術文献】
【特許文献】
【０００３】
【特許文献１】特許第５２７１０６９号公報
【発明の概要】
【発明が解決しようとする課題】
【０００４】
ところが前記従来の気密材のうち上下枠側および戸先側の気密材変形部は、開き戸の表面板が殆ど正面側から押圧してきて押し潰し変形されるものであるため、変形量を大きくして優れた気密性を確保することができるが、戸尻側（吊元側）気密材の変形部は、開き戸の戸尻側表面板のコーナー状になった戸尻側端部が戸先側から戸尻側に向けて横移動する（抉る）ようにして押し潰し変形されることになり、このため高い気密性を確保しようとして押し潰し変形の面積を広くしようとしたときに、変形部の戸先側部位は、表面板の戸尻側端部が深い部位において直接食い込むように変形させることになり、この結果、変形部が無理な変形が強いられるだけでなく、表面板との摺動抵抗が大きくなって気密材が早期のうちに損耗してしまうという惧れがあり、これを回避するためには、例えば気密材の本体部が嵌合する溝部を深くする等して表面板と変形部との当接位置を開き戸側に相対的に変化させて表面板の変形部に対する押し潰し変形の面積を小さいものにすることになるが、このようにした場合、気密性が低下したものにならざるを得ないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開き戸が開閉揺動自在に設けられる戸枠に、閉鎖した開き戸の表面板が当接することにより押し潰し変形されて気密性を発揮するための気密材を設けるにあたり、戸尻側気密材は、戸尻側縦枠に支持される硬質の本体部と、該本体部から開き戸側に突出して前記押し潰し変形される軟質の変形部とを備えて構成され、該変形部は、本体部からの戸先側部位の突出位置が戸尻側部位の突出位置よりも開き戸側に偏倚するようにして設けられていることを特徴とする開き戸の気密構造である。
請求項２の発明は、本体部の開き戸側辺が戸先側ほど開き戸側に偏倚した傾斜状になっていることを特徴とする請求項１記載の開き戸の気密構造である。
請求項３の発明は、本体部の開き戸側辺が戸先側ほど開き戸側に偏倚した段差状になっていることを特徴とする請求項１記載の開き戸の気密構造である。
請求項４の発明は、本体部は、該本体部の開き戸側辺よりも戸先側に突出し、かつ戸尻側部位の本体部からの突出位置よりも開き戸側に偏倚する突出辺を含んで構成され、該突出辺に変形部の戸先側部位が設けられていることを特徴とする請求項１乃至３の何れか１記載の開き戸の気密構造である。
請求項５の発明は、本体部は、該本体部の戸先側辺よりも戸先側に突出し、かつ戸尻側部位の本体部からの突出位置よりも開き戸側に偏倚する突出辺を含んで構成され、該突出辺に変形部の戸先側部位が設けられていることを特徴とする請求項１乃至３の何れか１記載の開き戸の気密構造である。
請求項６の発明は、変形部は円筒形状であり、該円筒の中心は、四角筒形状の本体部の中心線に対して戸先側に偏倚していることを特徴とする請求項１乃至５の何れか１記載の開き戸の気密構造である。
【発明の効果】
【０００６】
請求項１の発明とすることにより、本体部から開き戸側に突出する変形部は、本体部からの戸先側部位の突出位置が、戸尻側部位の突出位置よりも開き戸側に偏倚している結果、開き戸が閉鎖した場合に、該開き戸と本体部とのあいだの変形部が押し潰される隙間が戸尻側よりも戸先側が狭くなる。このため開き戸が閉鎖する過程で、変形部が開き戸によって戸尻側に無理やりに移動する変形を受けたときに、変形部の戸先側部位は本体部に近いものとなって前記変形が抑制される。この結果、気密性を高めようとして戸尻側気密材の変形部の押し潰し変形の面積を広くしたときに、開き戸が閉鎖しているときの戸先側部位の戸尻側への無理な変形が抑制されて戸尻側気密材の早期の損耗を防止し、長寿命化が図れることになる。
請求項２または３の発明とすることにより、変形部の戸先側部位を開き戸側に偏倚した構成とすることが簡単にできることになる。
請求項４または５の発明とすることにより、変形部の戸先側部位は、本体部の開き戸側辺または戸先側辺から戸先側に突出し、かつ戸尻側部位の本体部突出位置よりも開き戸側に偏倚する突出辺から突出することになるため、変形部をより戸先側に偏倚したものにできることになって、変形部の開き戸による押し潰し変形の面積を広くでき、更なる気密性の向上が図れることになる。
請求項６の発明とすることにより、変形部を戸先側に偏倚したものにしても、本体部は戸尻側に位置することができて開口幅を狭くすることが回避される。
【図面の簡単な説明】
【０００７】
【図１】開き戸の正面図である。
【図２】開き戸の縦断面図である。
【図３】（Ａ）（Ｂ）は上枠側、下枠側の第一気密材部位の縦断面図である。
【図４】開き戸の横断面図である。
【図５】第二気密材（戸尻側気密材）部位の横断面図である。
【図６】第三気密材部位の横断面図である。
【図７】第一気密材の縦断面図である。
【図８】第二気密材の横断面図である。
【図９】第三気密材の横断面図である。
【図１０】（Ａ）、（Ｂ）は戸尻側気密材の第二、第三の実施の形態を示す横断面図である。
【図１１】（Ａ）〜（Ｄ）は戸尻側気密材の第四〜第七の実施の形態を示す横断面図である。
【発明を実施するための形態】
【０００８】
以下、本発明の第一の実施の形態について、図面に基づいて説明する。尚、本実施の形態では戸尻側−戸先側方向を左右方向、開き戸の出入り方向を前後方向と定義するが、これに限定されるものではないことは勿論である。図面において、１は開き戸であって、該開き戸１は、吊元側部位が開き戸１の前後方向の幅内に設けられる支軸２を介して開閉揺動自在に戸枠３の上下枠３ａ、３ｂの戸尻側部位に軸支された所謂中心吊り式のものであるが、本発明は、旗蝶番等の蝶番を用いた蝶番吊り式のもの等、通常知られた開き戸であれば何れにも実施できることは言うまでもない。尚、１ｂは開き戸１の後述する表面板、１ｅは該表面板１ｂの内面に設けられる遮音材である。
【０００９】
戸枠３は、四角枠形状をし、その戸当り面には第一、第二、第三気密材４、５、６が取付けられるが、上下枠３ａ、３ｂに取付けられる第一気密材４、戸先側縦枠３ｃに取付けられる第二気密材５、戸尻側縦枠３ｄに取付けられる第三気密材６はそれぞれ異形状をしているが、戸尻側縦枠３ｄに取付けられる第三気密材６が本発明の「戸尻側気密材」に相当するものであり、以下、これら第一、第二、第三気密材４、５、６について説明する。
勿論、本発明が実施された第三気密材６を、戸尻側縦枠３ｄだけでなく、残りの戸枠３ａ、３ｂ、３ｃのうちの全て、あるいは任意に選択した一部のものに取付けても実施することができる。
因みに本実施の形態では、前記第一、第二、第三気密材４、５、６は、何れもＥＰＤＭ（エチレン・プロピレン・ジエンゴム）製となっているが、気密材として必要な特性を有していれば材質については特に限定されるものではない。
【００１０】
上下枠３ａ、３ｂの戸当り面に形成される凹溝３ｅは開き戸１側が開口する状態で上下対称形状をしており（必ずしも対称でなくてよい。）、該凹溝３ｅに第一気密材４が取付けられるが、該第一気密材４は、四角筒状をし凹溝３ｅの開口側に嵌入する本体部４ａと、該本体部４ａから上下方向に延出形成され、凹溝３ｅの溝内面に弾性変形する状態で圧入するヒレ部４ｂと、本体部４ａよりも凹溝３ｅの溝奥側に嵌入する脚部４ｃと、凹溝３ｅの開口から突出するよう本体部４ａに設けられた円筒状の変形部４ｄとにより構成されている。そして本体部４ａ、ヒレ部４ｂ、脚部４ｃはソリッド状（硬質状）に形成され、変形部４ｄは、押し潰し変形（弾性変形）されやすいようスポンジ状（軟質状）に形成されているが、押し潰し変形をさらに助長するよう内周面４ｅが凹凸形状（波形状）になっている。
さらに第一気密材４は、変形部４ｄの中心Ａが本体部４ａの中心線Ｂに対して上下方向内側に偏倚しており、閉鎖した開き戸１の表面板により変形部４ｄが開き戸１側（正面側）から押圧状に当接することで押し潰し変形されることになって高い気密性を発揮できるように構成されている。
【００１１】
つぎに戸先側縦枠３ｃに取付けられる第二気密材５であるが、この第二気密材５は、戸先側縦枠３ｃに形成される凹溝３ｆに取付けられる。該凹溝３ｆは、左右方向の溝外面（戸先側面）３ｇが溝内面（戸尻側面）３ｈの先端部位よりも開き戸１側に延出する長い状態で形成され、そして溝外面３ｇの開き戸側端からは戸先側に向けて段差状に折曲された段差面３ｉが形成されている。
そして第二気密材５は、前記溝内面３ｈの先端部位から溝外面３ｇの溝内面３ｈの先端部位に対向する部位よりも開き戸１側に延出する部位に当接（または近接対向）する四角筒形状の第一本体部５ａと、左右両幅が第一本体部５ａよりも幅狭な状態で四角筒形状をし、凹溝３ｆの開口側に嵌入する第二本体部５ｂと、該第二本体部５ｂから左右方向に向けて延出形成され、凹溝３ｆの溝内外面３ｈ、３ｇに弾性変形する状態で圧入するヒレ部５ｃと、第一本体部５ａよりも凹溝３ｆの溝奥側に嵌入する脚部５ｄと、溝外面３ｇの先端よりも開き戸１側に突出するよう第一本体部５ａに設けられた円筒状の変形部５ｅとにより構成されている。因みに、溝内面３ｈを溝外面３ｇよりも短いものとして溝内面３ｈの先端と閉鎖したときの開き戸１の表面板１ｂとのあいだの隙間を大きくすることにより、指挟み防止の機能が発揮できるようにしている。
そして第一、第二本体部５ａ、５ｂ、ヒレ部５ｃ、脚部５ｄは硬質（ソリッド）状に形成され、変形部５ｅは、押し潰し変形しやすいよう軟質（スポンジ）状に形成されているが、さらに押し潰し変形（弾性変形）されやすいよう内周面５ｆが凹凸形状（波形状）になっている。
また第二気密材５は、変形部５ｅの中心Ｃが第一、第二本体部５ａ、５ｂの中心線Ｄ上に位置するように設定され、閉鎖した開き戸１の表面板が当接することにより変形部５ｅが押し潰し変形されて高い気密性を発揮できるようになっている。尚、５ｇは第一本体部５ａの左右方向両側辺である。また第二気密材５としては、変形部５ｅを、後述する第三気密材６のように第一、第二本体部５ａ、５ｂに対して戸先側に偏倚したものとすることができる。
【００１２】
最後に戸尻側縦枠３ｄに取付けられる第三気密材６であるが、戸尻側縦枠３ｄに形成される凹溝は、戸先側縦枠３ｃに形成される凹溝３ｆに対して左右対称となる状態で形成されるため、戸先側の凹溝３ｆと左右対称となる部位に同じ引出符号を付す。そしてこのものでは、溝外面３ｇの開き戸側端からは戸尻側に向けて段差状に折曲された段差面３ｊは、第二気密材５が設けられる側の段差面３ｉよりも左右方向に長くなっている。
そして第三気密材６は、前記第二気密材５と同様、前記溝内面３ｈの先端部位から溝外面３ｇの溝内面３ｈの先端部位に対向する部位よりも開き戸１側に延出する部位に当接（または近接対向）する四角筒形状の第一本体部６ａと、左右両幅が第一本体部６ａよりも幅狭な状態で四角筒形状をし、凹溝３ｆの開口側に嵌入する第二本体部６ｂと、該第二本体部６ｂから左右方向に向けて延出形成され、凹溝３ｆの溝内外面３ｈ、３ｇに弾性変形する状態で圧入するヒレ部６ｃと、第一本体部６ａよりも凹溝３ｆの溝奥側に嵌入する脚部６ｄと、溝外面３ｇの先端よりも開き戸１側に突出するよう第一本体部６ａに設けられた円筒状の変形部６ｅとにより構成されている。因みに、溝内面３ｈを溝外面３ｇよりも短いものとして溝内面３ｈの先端と閉鎖したときの開き戸１の表面板１ｂとのあいだの隙間を大きくすることにより、指挟み防止の機能が発揮できるように配慮されている。
そして第一、第二本体部６ａ、６ｂ、ヒレ部６ｃ、脚部６ｄは硬質状（ソリッド状）に形成されるが、変形部６ｅは、押し潰し変形されやすいよう軟質状（スポンジ状）に形成されており、さらに押し潰し変形を助長するよう内周面６ｆが凹凸形状（波形状）になっており、閉鎖した開き戸１の表面板が弾圧状に当接することにより後述するように変形部６ｅが押し潰し変形されて高い気密性を発揮できるようになっている。
【００１３】
この第三気密材６の第一本体部６ａは、さらに左右方向内側辺（戸先側辺）６ｇが溝外面３ｇの先端の段差面３ｊよりも開き戸１側に突出するべく長くなっており、これにより第一本体部６ａの変形部６ｅが突出形成される前後方向外側辺（開き戸側辺）６ｈは、左右方向内側（戸先側）ほど開き戸１側に偏倚する（近くなるまたは高くなる）よう傾斜しており、さらにこの前後方向外側辺６ｈの左右方向内側辺（戸先側辺）６ｇと交わる部位からは、前記傾斜した状態で前後方向外側辺６ｈから延長するようにして左右方向内側（戸先側）に突出する突出辺（硬質状）６ｉが形成されている。そして変形部６ｅは、戸先側部位６ｊが突出辺６ｉから突出する状態で設けられることになって突出辺６ｉと前後方向外側辺６ｈの戸尻側部位とのあいだに形成されるようになっており、これにより、変形部６ｅの中心Ｅは、第一、第二本体部６ａ、６ｂの中心線Ｆに対して左右方向内側（戸先側）に偏倚するように形成されているが、これに限定されず、第二気密材５のように一致していてもよい。尚、６ｌは、第一本体部６ａの左右方向外側辺（戸尻側辺）である。
そして本実施の形態では、変形部６ｅの戸先側部位６ｊが戸尻側部位６ｋよりも開き戸１側に位置（偏倚）する状態で第一本体部６ａに支持された構成になる結果、表面板１ｂが変形部６ｅを押し潰し変形する面積を広くして、優れた気密性（遮音性を含む）を確保しようとして、コーナー部１ｃを深く戸尻側に食い込ませたときに、変形部６ｅが突出形成される第一本体部６ａと開き戸１とのあいだの隙間は、変形部６ｅの戸先側部位６ｊが突出する戸先側が狭く、戸尻側部位６ｋが突出する戸尻側が広くなる。このため、開き戸１が閉鎖したときに変形部６ｅの戸先側部位６ｊは、戸尻側部位６ｋよりも第一本体部６ａに近い状態で支持されることになり、開き戸１の閉鎖の過程で戸先側部位６ｊが開き戸１から受ける戸尻側への無理な変形が抑制され（小さくなり）、これによって変形部６ｅの押し潰し変形の面積を広くして気密性に優れた第三気密材６としながら、該第三気密材６の早期の損耗を防止して長寿命化を図ることができるように構成されている。
【００１４】
因みに、第一、第二気密材４、５も同様であるが、第三気密材６の硬質状部の硬さはＨｓ７０、軟質状部である変形部６ｅの硬さはＨｓ４０〜５０である。そしてこのような硬さにすることにより、指詰めをする可能性が考えられる第二、第三気密材５、６の第一本体部５ａ、６ａについては、開き戸１を閉鎖したときに、指詰めが無い状態では変形部５ｅ、６ｅが変形し、第一本体部５ａ、６ａは変形はしないか僅かに変形するものであるが、指詰めがあった場合に、これに対応するため第一本体部５ａ、６ａが変形するように配慮されている。
さらに変形部６ｅの表面に、コーナー部１ｃが変形部６ｅを抉るように食い込んで押し潰し変形する状態で表面板１ｂが摺動する際の摩擦抵抗を低減するため潤滑剤（例えば硬質シリコン剤）を塗布することが好ましい。この場合、塗布する範囲としては、開き戸１が摺動する範囲とすることが好ましいが、これに限定されるものではない。
【００１５】
一方、開き戸１の表面板１ｂは、支軸２の中心Ｏを挟んだ戸尻側から戸先側の当接面部１ｄで第三気密材６に当接して弾圧（押圧）をすることで該第三気密材６を押し潰し変形させることになるが、表面板１ｂの当接面部１ｄよりも戸尻側面部にはテーパー面部１ａが形成され、このテーパー面部１ａと当接面部１ｄとのあいだに鈍角状のコーナー部１ｃが形成されている。因みにこのコーナー部１ｃは鈍角状でなく、Ｒ状（円弧状）であってもよい。さらにテーパー面部１ａは、本実施の形態では直線状にしたがＲ状、二角、三角等の多角形状に折曲されたものであってもよい。
また前記鈍角状のコーナー部１ｃがあることで、第三気密材６は、開き戸１が閉鎖する過程で、この鈍角状のコーナー部１ｃから食い込む状態で押し潰されることになるので、変形部６ｅの抉り変形が緩和されることになって変形部６ｅの長寿命化が図れることになる。
また第一、第二、第三気密材４、５、６の脚部４ｃ、５ｄ、６ｄは、本実施の形態では二枚が剥離状に設けられており、戸枠３の凹溝３ｅ、３ｆの深さに対応できるようになっている。
【００１６】
叙述の如く構成された本発明の本実施の形態において、戸尻側に設けられる第三気密材６は、第一本体部６ａの左右方向内側片６ｇが溝外面３ｇの先端の段差面３ｊよりも開き戸１側に突出するべく長くなっていて第一本体部６ａの変形部６ｅが形成される前後方向外側辺（開き戸側辺）６ｈは、左右方向内側（戸先側）ほど開き戸１側に向くよう傾斜しており、これによって変形部６ｅの戸先側部位６ｊの第一本体部６ａからの突出位置は、戸尻側部位６ｋの突出位置よりも開き戸１側に偏倚した状態になっている。
この結果、開き戸１が閉鎖する過程で、戸先側部位６ｊにコーナー部１ｃが食い込むように働いて無理やり戸尻側に移動変形させようとしたときに、戸尻側部位６ｋよりも短い（近い）状態で硬質の第一本体部６ａからの強い支持（弾持）を受けることになる。これにより変形部６ｅの戸先側部位６ｊは、第一本体部６ａによる強い支持を受けることになって、変形部６ｅの押し潰し変形の面積を広く確保して優れた気密性を発揮するため、表面板１ｂによる変形部６ｅの押し潰し位置を第一本体６ａ側に相対的に変化させたとしても、戸先側部位６ｊが戸尻側部位６ｋと同じ位置から突出した場合に比して戸先側部位６ｊの戸尻側への無理な変形が抑制され、これによって第三気密材６の早期の損耗を防止して長寿命化を図ることができる。
【００１７】
さらに本実施の形態では、該変形部６ｅの戸先側部位が左右方向内側片６ｇから戸先側に向けて突出する傾斜状の突出辺６ｉに設けられるので、変形部６ｅの戸先側部位６ｊをより戸先側に偏倚したものにでき、これにより変形部６ｅの表面板１ｂによる押し潰し変形面積を更に広く確保できることになって、より一層優れた気密性を発揮できることになる。そのうえこの場合、変形部６ｅを戸先側に偏倚したものとして優れた気密性を確保できるものとしながら、戸尻側縦枠３ｄの凹溝３ｆを戸先側に偏倚させる必要がなくなって開口面積の広いものとすることができる。
【００１８】
そのうえこのものでは、変形部６ｅは、中心Ｅが第一、第二本体部６ａ、６ｂの中心線Ｆよりも戸先側に偏倚させることで、変形部６ｅが戸先側に変位したものとして構成できることとなって、当接面部１ｄの変形部６ｅに対する押し潰し変形幅を広いものに確保でき、これによって更なる気密性の確保ができることになる。
【００１９】
尚、本発明は前記実施の形態に限定されるものでないことは勿論であって、戸尻側気密材としては、図１０、１１に示すようなものとしても実施することができる。
図１０（Ａ）（Ｂ）の第二、第三の実施の形態のものは、前記第一の実施の形態のように突出辺がないものであるが、（Ａ）の第二の実施の形態のものは、戸先側が開き戸側に偏倚するように傾斜した開き戸側辺６ｈに変形部６ｅが設けられたものであり、（Ｂ）の第三の実施の形態のものは、戸先側が開き戸側に偏倚するよう開き戸側辺６ｈが段差状になったものである。
また図１１（Ａ）〜（Ｄ）に示す第四〜第七の実施の形態のものは、第一の実施の形態のように突出辺６ｉが設けられたものであるが、（Ａ）の第四の実施の形態のものは突出辺６ｉが傾斜していないものであり、（Ｂ）の第五の実施の形態のものは突出辺６ｉが傾斜の無い開き戸側辺６ｈに対して左右方向内側辺（戸先側辺）６ｇから開き戸側に向けて延長したものの先端部が戸先側に突出することで開き戸側に向けて段差状に偏倚したものであり、（Ｃ）の第六の実施の形態のものは突出部６ｉが傾斜の無い開き戸側辺６ｈからそのまま戸先側に延長する状態で伸び、その延長先端部が開き戸１側に突出したものであり、（Ｄ）は突出部６ｉが左右方向内側辺６ｇと傾斜の無い開き戸側辺６ｈとの交差部位から戸先側ほど開き戸１側に傾斜する状態で突出しているものである。
さらに開き戸側辺を円弧形状、鈍角形状などの各種の形状にしても実施することができる。
【産業上の利用可能性】
【００２０】
本発明は、建築物の出入り口等に建て付けられる開き戸の気密構造として利用することができる。
【符号の説明】
【００２１】
１  開き戸
１ｂ  表面板
１ｄ  当接面部
３  戸枠
３ｄ  戸尻側縦枠
４  第一気密材（上下側気密材）
５  第二気密材（戸先側気密材）
６  第三気密材（戸尻側気密材）
６ａ  第一本体部
６ｂ  第二本体部
６ｅ  変形部
６ｇ  左右方向内側辺（戸先側辺）
６ｈ  前後方向外側辺（開き戸側辺）
６ｉ  突出辺
６ｊ  戸先側部位
６ｋ  戸尻側部位
６ｌ  左右方向外側辺（戸尻側辺）
Ｅ  変形部中心
Ｆ  本体部中心線
【図１】
2018197480.tif 000003
【図２】
2018197480.tif 000004
【図３】
2018197480.tif 000005
【図４】
2018197480.tif 000006
【図５】
2018197480.tif 000007
【図６】
2018197480.tif 000008
【図７】
2018197480.tif 000009
【図８】
2018197480.tif 000010
【図９】
2018197480.tif 000011
【図１０】
2018197480.tif 000012
【図１１】
2018197480.tif 000013